(57)【要約】【課題】ボルト案内の外部寸法を大きくすることなく、簡単に打ち込み深さを調整できる打ち込み装置を得る。【解決手段】固定素子を基礎に打ち込むため、燃焼空間１６と、この燃焼空間に隣接してピストン２０を軸線方向に移動自在に配置する中空空間１２を設けたピストン案内１１と、中空空間１２の燃焼空間１６側とは反対側の端部領域１７に配置したピストン２０のためのピストン止め素子３０とを具えた打ち込み装置において、ピストン止め素子３０を中空空間１２内で軸線方向に移動させる調整装置４０を設ける。好適には、ピストン止め素子３０を支持部３１に配置し、この支持部３１を中空空間１２の端部領域１７に配置し、またこの支持部３１を調整装置４０によって軸線方向に調整自在にし、支持部３１および／またはピストン止め素子３０を長手方向軸線の周りに回転自在に支持する。【選択図】図１
2006082221.tif 000002
【特許請求の範囲】
【請求項１】
固定素子を基礎に打ち込むため、燃焼空間（１６）と、この燃焼空間に隣接してピストン（２０）を軸線方向に移動自在に配置する中空空間（１２）を設けたピストン案内（１１）と、前記中空空間（１２）の燃焼空間（１６）側とは反対側の端部領域（１７）に配置したピストン（２０）のためのピストン止め素子（３０）とを具えた打ち込み装置において、前記ピストン止め素子（３０）を前記中空空間（１２）内で軸線方向に移動させる調整装置（４０）を設けたことを特徴とする打ち込み装置。
【請求項２】
ピストン止め素子（３０）を支持部（３１）に配置し、この支持部（３１）を前記中空空間（１２）の端部領域（１７）に配置し、またこの支持部（３１）を調整装置（４０）によって軸線方向に調整自在にした請求項１記載の打ち込み装置。
【請求項３】
支持部（３１）およびピストン止め素子（３０）のうちの少なくとも一方を長手方向軸線の周りに回転自在に支持した請求項１または２記載の打ち込み装置。
【請求項４】
調整装置（４０）は、支持部（３１）に設けた支持面（３４，３５）およびこれら支持面間の傾斜面（３３）と、ピストン案内（１１）の端壁（１８）に設けた対向支持面（１４，１５）およびこれら対向支持面間の傾斜面（１３）を有するものとして構成した請求項１乃至３のうちのいずれか一項に記載の打ち込み装置。
【請求項５】
ピストン止め素子（３０）は、調整装置（４０）により、少なくとも第１調整位置（４１）と、この第１調整位置から軸線方向にずれた第２調整位置（４２）との間で前記中空空間（１２）において移動自在にした請求項１乃至４のうちのいずれか一項に記載の打ち込み装置。
【請求項６】
調整装置（４０）は、手動で操作する少なくとも１個の操作手段（３６）を有するものとした請求項１乃至５のうちのいずれか一項に記載の打ち込み装置。
【請求項７】
前記調整装置（４０）の第１調整位置（４１）では、前記第１支持面（３４）が第２対向支持面（１５）に接触し、また第２調整位置（４２）では第１対向支持面（１４）に接触するよう第１支持面（３４）を設け、また前記調整装置（４０）の第１調整位置（４１）では、前記第２支持面（３５）が第１対向支持面（１４）に接触し、第２調整位置（４２）では、第２支持面（３５）が第２対向支持面（１５）に接触するよう第２支持面（３５）を設けた請求項１乃至６のうちのいずれか一項に記載の打ち込み装置。
【請求項８】
前記支持面（３４，３５）および対向支持面（１４，１５）を、ピストン案内（１１）の長手方向軸線（１９）に対して直交する平面上に存在するものとした請求項１乃至７のうちのいずれか一項に記載の打ち込み装置。
【発明の詳細な説明】
【技術分野】
【０００１】
本発明は、固定素子を基礎に打ち込むため、燃焼空間と、この燃焼空間に隣接してピストンを軸線方向に移動自在に配置する中空空間を設けたピストン案内と、前記中空空間の燃焼空間側とは反対側の端部領域に配置したピストンのためのピストン止め素子とを具えた打ち込み装置（鋲打ち機）に関するものである。このような打ち込み装置は、固体燃料、ガス状もしくは液状燃料、または圧力もしくは圧縮空気により駆動することができる。
【背景技術】
【０００２】
ピストンが固定素子を基礎に打ち込むこのような打ち込み装置の場合、固定素子とは反対側でピストンに圧力を作用させて固定素子を打撃する。燃焼力駆動の打ち込み装置の場合、ピストンを、例えば、燃焼ガスによって駆動する。ピストンに作用する圧力により、ピストンを固定素子の方向に加速し、この固定素子に衝突させ、基礎に打ち込む。
【０００３】
固定素子は、常に同じ深さで基礎に打ち込まないようにするのが好ましい場合がある。例えば、基礎が柔らかい場合、同一の操作で、固い基礎におけるよりも一層深く打ち込まれてしまう。このことは、打ち込まれる基礎の材料を破壊する恐れがある。
【０００４】
本願人による打ち込み装置であるヒルティ社製の製品ＧＸ１００の場合、ピストン案内の打ち込み方向側にボルト案内またはピン案内を設けてピストンを案内している。ピストン案内の端部に隣接するボルト案内には、ピストンのための緩衝素子を設け、打ち込みの移動行程を制限する。ボルト案内には、押し付けスリーブを移動自在に配置し、ボルト案内に対して２段階で移動できるようにしている。これによって、最大打ち込み深さを調整することができる。
【発明の開示】
【発明が解決しようとする課題】
【０００５】
しかし、この押し付けスリーブは、ボルト案内の外部に存在し、この部分の外部寸法を大きくし、したがって、作業の適用が制限されることになる。
【０００６】
したがって、本発明の目的は、従来装置の欠点を回避し、簡単に打ち込み深さを調整できる打ち込み装置を得るにある。
【課題を解決するための手段】
【０００７】
この目的を達成するため、本発明打ち込み装置は、ピストン止め素子を中空空間内で軸線方向に移動させる調整装置を設けたことを特徴とする。
【発明の効果】
【０００８】
本発明打ち込み装置によれば、ピストン止め素子またはこのピストン止め素子を配置する支持部をピストン案内の長手方向軸線の方向に段階的に、もしくは無段的に調整することができる。この構成により、打ち出し口（銃口）領域のボルト案内に付加的な素子または構造部分によって肥大化することなく、ピストンの最大移動行程、および最大打ち込み深さを変化させることができる。ピストン止め素子は、例えば、ゴムもしくは金属材料からなる緩衝素子として構成することができる。
【発明を実施するための最良の形態】
【０００９】
好適な実施例においては、ピストン止め素子を支持部に密着もしくは配置し、この支持部を前記中空空間の端部領域に配置し、またこの支持部を調整装置によって軸線方向に調整自在にする。この構成により、構造が簡単になり、磨耗したピストン止め素子の交換が簡単になる。
【００１０】
好適な実施例においては、支持部およびピストン止め素子のうちの少なくとも一方を長手方向軸線の周りに回転自在に支持する。この構成により、支持部および／またはピストン止め素子の回転操作によって軸線方向の調整を行うことができるようになる。
【００１１】
調整装置は、支持部に設けた支持面およびこれら支持面間の傾斜面と、ピストン案内の端壁に設けた対向支持面およびこれら対向支持面間の傾斜面を有するものとして構成すると好適である。この構成により、支持面および対向支持面の相対位置により、ピストン案内の端壁と支持部との軸線方向距離を調整することができる。好適な実施例においては、ピストン止め素子は、調整装置により、少なくとも第１調整位置と、この第１調整位置から軸線方向にずれた第２調整位置との間で前記中空空間において移動自在にする。
【００１２】
調整装置は、手動で操作する少なくとも１個の操作手段を有するものとして構成することができる。この操作手段は、例えば、支持部の軸受部分に相対回転不能に連結したレバーとして構成することができる。
【００１３】
さらに、好適には、調整装置の第１調整位置では、前記第１支持面が第２対向支持面に接触し、また第２調整位置では第１対向支持面に接触するよう第１支持面を設け、また前記調整装置の第１調整位置では、前記第２支持面が第１対向支持面に接触し、第２調整位置では、第２支持面が第２対向支持面に接触するよう第２支持面を設ける。第１および第２の支持面もしくは第１および第２の対向支持面は、それぞれ互いに軸線方向に離れ、また、傾斜面もしくは対向傾斜面によって互いに分離する。調整装置を回転することにより、互いに摺動接触する傾斜面および対向傾斜面は、回転運動を支持部および／またはピストン止め素子の軸線方向並進運動に変換する。このようにして、支持部またはピストン止め素子の軸線方向相対離間位置調整を規定することができる。
【００１４】
支持面および対向支持面を、ピストン案内の長手方向軸線に対して直交する平面上に存在させ、即ち、打ち込み作業の際に打ち込むべき基礎に平行になるようにすると好適である。この構成により、ピストン止め素子にピストンが衝突する際に、装置軸線またはピストン案内の長手方向軸線の方向にのみ反作用力が発生する。打ち込み作業の際には、支持部の回転は生じない。
【００１５】
次に、図面につき本発明の好適な実施例を説明する。
【実施例】
【００１６】
図１〜図６に本発明による燃焼力駆動打ち込み装置１０を示し、この装置は、燃焼空間１６と、この燃焼室に隣接するピストン案内１１を有する。ピストン案内１１内で軸線方向に延在する中空空間１２に、ピストン２０を移動自在に配置し、燃焼空間１６内の燃焼材料が燃焼することにより発生する燃焼ガスの作用の下にピストン２０を駆動する。ピストン案内１１の燃焼空間側とは反対側の端部に、ピストン案内１１に同軸状に延在するボルト案内２４を連結する。中空空間１２またはピストン案内１１のボルト案内２４側の端部領域１７には、ピストン止め素子３０を配置する。このピストン止め素子３０は、支持部３１に固定し、この支持部３１は軸受部分３７によりピストン案内１１の開口２５で、回転自在かつピストン案内１１の長手方向軸線１９の方向に軸線方向に移動自在およびボルト案内２４における限定開口２６に支持する。ピストン止め素子３０のピストン２０側にはピストン２０のための衝合面３２を設ける。ピストン２０には、燃焼空間１６とは反対側でピストンヘッド２１に隣接するピストンシャフト２３を設ける。このピストンヘッド２１は、ピストン止め素子３０の方向に指向する対向衝合面２２を有し、ピストン止め素子３０の衝合面３２に接触することができる。ピストン止め素子３０は、ピストン２０の最大行程を制限する。
【００１７】
ピストン止め素子３０および支持部３１は、調整装置４０により、図１において、ピストン２０の最大限の行程が大きい第１調整位置４１に、逆に、図５ではピストン２０の最大限行程が第１調整位置４１よりも小さい第２調整位置４２に移動可能とする。このようにして、調整装置により、簡単に最大の打ち込み深さを調整することができる。調整装置４０は、図３に明示するようにと、支持部３１のボルト案内２４に指向する側に第１支持面３４および第２支持面３５を設ける。第２支持面３５は、第１支持面３４よりも軸線方向により多く突出している。第１支持面３４の全体および第２支持面３５の全体は、それぞれ一つの平面上に存在する。第１支持面３４とこれに隣接する第２支持面３４との間には、第１支持面３４から第２支持面３５に向かって傾斜する傾斜面３３を設ける。支持部３１の軸受部分３７には、操作素子３６を連結し、この操作素子３６は、使用者が操作可能に配置し、レバーを手動で操作できるようにする。
【００１８】
図２から明らかなように、ピストン案内１１の端壁１８に調整装置４０の第１対向支持面１４および第２対向支持面１５を設ける。第２対向支持面１５は、第１対向支持面１４よりも軸線方向により多く突出する。第１対向支持面１４全体および第２対向支持面１４全体は、それぞれ一つの平面上に存在する。第１対向支持面１４とこれに隣接する第２対向支持面１５との間に第１対向支持面１４から第２対向支持面１５に向かって傾斜する傾斜面１３を設ける。
【００１９】
図１から明らかなように、調整装置４０の第１調整位置４１では、支持部３１の第１支持面３４が端壁１８の第２対向支持面１５に接触し、支持部３１の第２支持面３５が端壁の第１対向支持面１４に接触する。使用者が存在素子３６により調整装置４０を操作すると、長手方向軸線１９の周りに回転し、このとき、支持部３１がピストン止め素子３０と一緒に操作素子３６の回転方向に回転する。支持部３１の傾斜面３３は、端壁１８の対向傾斜面１３に沿って摺動し、これにより、支持部３１は、端壁１８から燃焼空間１６の方向に一区間上昇する。
【００２０】
図５は、操作素子３６を完全に旋回した状態を示す。このとき、支持部３１の第２支持面３５が端壁１８の第２対向衝合面１５にのみ接触する。ピストン止め素子３０支持部３１は、端壁１８から燃焼空間１６の方向に向かって一区間軸線方向に移動し、第２調整位置４２に達し、ピストン２０の最大移動行程が短くなる。これにより、最大打ち込み深さは減少し、打ち込み装置１０が図示しない作動装置を作動させるとき、ピストン２０は第１調整位置４１（図１参照）とは逆に短くなった移動行程でピストン止め素子３０に衝突する。
【図面の簡単な説明】
【００２１】
【図１】本発明打ち込み装置のピストン止め装置が第１調整位置にある状態を示す縦断面図である。
【図２】図１に示す打ち込み装置の細部の一部切除した斜視図である。
【図３】図１に示す他の細部の斜視図である。
【図４】図１に示す打ち込み装置のピストン止め装置が中間調整位置にある状態を示す縦断面図である。
【図５】図１に示す打ち込み装置のピストン止め装置が第２調整位置にある状態を示す縦断面図である。
【符号の説明】
【００２２】
１０  燃焼力駆動打ち込み装置
１１  ピストン案内
１２  中空空間
１４  第１対向支持面
１５  第２対向支持面
１６  燃焼空間
１７  端部領域
１８  端壁
１９  長手方向軸線
２０  ピストン
２１  ピストンヘッド
２２  対向衝合面
２３  ピストンシャフト
２４  ボルト案内
２５  開口
２６  限定開口
３０  ピストン止め素子
３１  支持部
３２  衝合面
３４  第１支持面
３５  第２支持面
３６  操作素子
３７  軸受部分
４０  調整装置
４１  第１調整位置
４２  第２調整位置
【図１】
2006082221.tif 000003
【図２】
2006082221.tif 000004
【図３】
2006082221.tif 000005
【図４】
2006082221.tif 000006
【図５】
2006082221.tif 000007